(57)【要約】【課題】綴じ用紙の枚数の変動に伴うテーブルの回動ストロークが大きく変動するような場合であっても、綴じ用紙を狭持した状態で綴じ荷重に耐えて確実にテーブルをロックさせるとともに、電動ホッチキスの小型化を達成する。【解決手段】クリンチャ機構８を担持しているテーブル４を本体フレーム２の後部に回動可能に支持させて設けるとともに、該テーブル４に前記本体フレーム２に沿って突出された翼片９を一体に形成し、該テーブル４の翼片９と本体フレーム２との間にロック手段１０、１６、２１を形成し、該ロック手段１０、１６、２１を翼片と係合させることによりテーブル４の開き方向への回動力を阻止させる。【選択図】　　　図２
2004025548.tif 000002
【特許請求の範囲】
【請求項１】
本体フレーム内に多数のステープルを収容するマガジン部と、該マガジン部に装填されたステープルをモータにより駆動されるドライバによってマガジン部から綴じ用紙に向けて打ち出すステープル打ち出し部とを形成し、綴じ用紙を貫通したステープルの脚部を綴じ用紙の裏面に沿って折り曲げるクリンチャ機構をテーブルに担持させて設けた電動ホッチキスにおいて、前記クリンチャ機構を担持しているテーブルを本体フレームの後部に回動可能に支持させて設けるとともに、該テーブルに前記本体フレームの側面に沿って突出された翼片を一体に形成し、該テーブルの翼片と本体フレームとの間にロック手段を形成し、該ロック手段と翼片とを係合させることによりテーブルの開き方向への回動力を阻止させるようにしたことを特徴とする電動ホッチキスにおけるテーブルのロック機構。
【請求項２】
前記ロック手段が、翼片の前端縁と係合可能な係止ピンを一端に備えるとともに該係止ピンから離れた他端側で本体フレームに対して回動可能に支持されたロック手段により構成されており、テーブルの開き方向への回動時に前記係止ピンが翼片の端縁に係合して翼片の回動を阻止させるようにしたことを特徴とする請求項１に記載の電動ホッチキスにおけるテーブルのロック機構。
【請求項３】
前記ロック手段が、本体フレームに回転自在に支持されて翼片の前端縁と係合可能な偏芯カムにより構成されており、テーブルの開き方向への回動時に前記偏芯カムが翼片の端縁に係合して翼片の回動を阻止させるようにしたことを特徴とする請求項１に記載の電動ホッチキスにおけるテーブルのロック機構。
【請求項４】
前記ロック手段が、翼片の前端縁に形成された鋸歯状の係合歯と該係合歯と係合する係止歯が形成された係止片により構成されており、前記係止片を本体フレームに前記翼片に対して接離方向にスライド可能に支持させるとともに、該係止片の係止歯と翼片の係合歯とが係合する方向に付勢させて構成し、テーブルの開き方向への回動時に翼片の係合歯に係止片の係止歯を係合させて翼片の開き方向への回動を阻止させるようにしたことを特徴とする請求項１に記載の電動ホッチキスにおけるテーブルのロック機構。
【請求項５】
本体フレーム内に多数のステープルを収容するマガジン部と、該マガジン部に装填されたステープルをモータにより駆動されるドライバによってマガジン部から綴じ用紙に向けて打ち出すステープル打ち出し部とを形成し、綴じ用紙を貫通したステープルの脚部を綴じ用紙の裏面に沿って折り曲げるクリンチャ機構を設けた電動ホッチキスにおいて、前記クリンチャ機構を担持しているテーブルを本体フレームの後部に回動可能に支持させて設けるとともに、該テーブルの上端面と係合可能な回転カムを設け、該回転カムの下面に形成した円周方向に高さが徐々に変化するカム面を前記テーブルの上端面と係合させることによりテーブルの開き方向への回動を阻止させるようにしたことを特徴とする電動ホッチキスにおけるテーブルのロック機構。
【発明の詳細な説明】
【０００１】
【発明の属する技術分野】
本発明は、コ字形に成形されたステープルをマガジン部から打出し、マガジン部と対向して配置されたクリンチャ部との間で狭持された綴じ用紙を貫通させて、クリンチャ部によってステープルの脚部を折り曲げて綴じ用紙を綴るようにした電動ホッチキスにおけるテーブルのロック機構に関する。
【０００２】
【従来の技術】
一般にこの種の電動ホッチキスは、図１０及び図１１に示すように、多数のステープルが装填されるとともに本体ケース３０のマガジン部３１に着脱可能なカートリッジ３２、本体ケース３０内に設けられたモータにより駆動されてカートリッジ３２内のステープルをマガジン部３１から打ち出すドライバ機構３３、及び前記ドライバ機構３３によるステープルの打ち出し部３４に対向して配置されるとともに、本体フレーム３０を構成している側板に回動可能に支持されたテーブル３５とから構成されており、モータの駆動によりドライバ機構３３を駆動してマガジン部３１に装填されたステープルをマガジン部３１からマガジン部３１とテーブル３５との間に配置された綴じ用紙Ｐに打ち出し、綴じ用紙を貫通したステープルの脚先端をテーブル３５に担持されているクリンチャ３６によって折り曲げるようにされている。
【０００３】
テーブル３５は通常時にはマガジン部３１のステープル打ち出し部３４と離間して配置されており、綴じ用紙が挿入されてドライバ機構３３によりステープルが打ち出される前に、マガジン部３１の上面との間で綴じ用紙Ｐを狭持するように回動作動される。テーブル３５はマガジン部３１からドライバ機構３３によって打ち出されるステープルの脚が綴じ用紙を貫通して、更にステープル脚がテーブル３５の先端部に形成されたクリンチャ３６により綴じ用紙の裏面に沿って折り曲げられる間に発生する綴じ荷重に対抗して綴じ用紙の下面側を支えている必要があるが、綴じ用紙の厚さに応じて前記テーブル３５の作動ストロークが変動することから、カムやリンク機構等によって直接テーブル３５を回動駆動させることができず、カムやリンク機構にバネ力を介在させてテーブル３５を作動させるようにしていた。しかしながら通常８〜１０Ｋｇ程度となる上記綴じ荷重を支えるためには大きな荷重のバネを必要とし、この大きなバネ荷重を介してテーブル３５を駆動させるための駆動機構が大きくなってコピー機等への内蔵用としての電動ホッチキスの小型化を阻害する要因となっていた。
【０００４】
そこで、図１０及び図１１に示すように、綴じ用紙Ｐを狭持する方向にバネ付勢力によって作動させたテーブル３５の一部に嵌合する楔部材によりテーブル３５を閉じ位置に固定させるテーブルのロック機構が特開２００１−１９１２６５号公報等により開示されている。上記テーブルのロック機構は、後端部が本体ケース３０に回動支軸３８によって回動可能に支持されるとともに捩りコイルバネ３９により閉じ方向に付勢させたテーブル３５と、上記テーブル３５を開き位置に保持させておくための作動リンク４０、及び、前記テーブル３５と係合してテーブル３５の開き方向への回動を阻止させる楔部材３７とにより構成されている。
【０００５】
電動ホッチキスが作動される以前の通常持には、前記作動リンク４０に形成した支持部４１をテーブル３５と一体に回動する固定軸４２と係合させてテーブル３５を開き位置に保持させておき、マガジン部の上面に綴じ用紙Ｐが載置されて電動ホッチキスが作動すると、前記作動リンク４０がステープルを打ち出すドライバ機構３３と連動して作動されて支持部４１と固定軸４２の係合を解除してテーブル３５を捩りコイルバネ３９により綴じ方向に作動させ、テーブル３５とマガジン部３１との間に配置された綴じ用紙Ｐを狭持させる。このテーブル３５の作動に伴って前記楔部材３７がバネ力によってスライド移動して楔部材３７に形成した係止部４３を前記テーブル３５と一体に回動する固定軸４２と係合させることによって、テーブル３５の開き方向への回動を阻止して閉じ位置にロックさせるようにしている。
【０００６】
【発明が解決しようとする課題】
上記機構では、楔部材３７を本体ケース３０に対して摺動可能に保持させて、楔部材３７をバネ付勢力によってスライド移動させてテーブル３５と一体の固定軸４２と係合させてテーブル３５を閉じ位置にロックするようにしているので、綴じ用紙の厚さの変動幅が少ない場合にはテーブル３５の回動ストロークの変動幅が比較的小さいのて問題がないが、綴じ用紙Ｐの最大綴じ枚数が大きい電動ホッチキスの場合には、テーブル３５の作動ストロークの幅が大きくなり、これに従って楔部材３７のスライド移動距離を大きく設定しなければならず、電動ホッチキスの小型化を達成させることができない。また、前記楔部材はテーブル３５を回動自在に支持している回動支軸３８の近傍に配置されている固定軸４２と係合させるようにしているので、大きな綴じ荷重が生じない小型のホッチキス手背は採用し得るが、テーブル３５の先端側に大きな綴じ荷重が発生する大型のホッチキスに対して充分なロックができない。
【０００７】
本発明は上記従来技術の欠点を解消し、綴じ用紙の枚数の変動に伴うテーブルの回動ストロークが大きく変動するような場合であっても、楔部材のように大きなスライド移動をすることがなく電動ホッチキスの小型化が達成できるとともに、綴じ用紙を狭持した状態でステープルの綴じ荷重に耐えて確実にテーブルをロックさせることの可能なテーブルのロック機構を提供することを課題とする。
【０００８】
【課題を解決するための手段】
上記課題を解決するため、本発明に係る電動ホッチキスにおけるテーブルのロック機構は、本体フレーム内に多数のステープルを収容するマガジン部と、該マガジン部に装填されたステープルをモータにより駆動されるドライバによってマガジン部から綴じ用紙に向けて打ち出すステープル打ち出し部とを形成し、綴じ用紙を貫通したステープルの脚部を綴じ用紙の裏面に沿って折り曲げるクリンチャ機構をテーブルに担持させて設けた電動ホッチキスにおいて、前記クリンチャ機構を担持しているテーブルを本体フレームの後部に回動可能に支持させて設けるとともに、該テーブルに前記本体フレームの側面に沿って突出された翼片を一体に形成し、該テーブルの翼片と本体フレームとの間にロック手段を形成し、該ロック手段を翼片と係合させることによりテーブルの開き方向への回動力を阻止させるようにしたことを特徴とする。
【０００９】
請求項２の発明は、前記ロック手段が、翼片の前端縁と係合可能な係止ピンを一端に備えるとともに該係止ピンから離れた他端側で本体フレームに対して回動可能に支持されたロック手段により構成されており、テーブルの開き方向への回動時に前記係止ピンが翼片の端縁に係合して翼片の回動を阻止させるようにしたことを特徴とする。
【００１０】
請求項３の発明は、前記ロック手段が、本体フレームに回転自在に支持されて翼片の前端縁と係合可能な偏芯カムにより構成されており、テーブルの開き方向への回動時に前記偏芯カムが翼片の端縁に係合して翼片の回動を阻止させるようにしたことを特徴とする。
【００１１】
請求項４の発明は、前記ロック手段が、翼片の前端縁に形成された鋸歯状の係合歯と該係合歯と係合する係止歯が形成された係止片により構成されており、前記係止片を本体フレームに前記翼片に対して接離方向にスライド可能に支持させるとともに、該係止片の係止歯と翼片の係合歯とが係合する方向に付勢させて構成し、テーブルの開き方向への回動時に翼片の係合歯に係止片の係止歯を係合させて翼片の開き方向への回動を阻止させるようにしたことを特徴とする。
【００１２】
請求項５の発明は、本体フレーム内に多数のステープルを収容するマガジン部と、該マガジン部に装填されたステープルをモータにより駆動されるドライバによってマガジン部から綴じ用紙に向けて打ち出すステープル打ち出し部とを形成し、綴じ用紙を貫通したステープルの脚部を綴じ用紙の裏面に沿って折り曲げるクリンチャ機構を設けた電動ホッチキスにおいて、前記クリンチャ機構を担持しているテーブルを本体フレームの後部に回動可能に支持させて設けるとともに、該テーブルの上端面と係合可能な回転カムを設け、該回転カムの下面に形成した円周方向に高さが徐々に変化するカム面を前記テーブルの上端面と係合させることによりテーブルの開き方向への回動を阻止させるようにしたことを特徴とする。
【００１３】
【発明の実施の形態】
以下、図に示す実施例に基づいて本発明の実施の形態を説明する。図１及び図２は本発明に係るテーブルのロック機構を実施した電動ホッチキスを示すもので、電動ホッチキス１は下方に配置されている本体フレーム２内に直状の多数のシートステープルが装填されたステープルカートリッジが装着され、更に本体フレーム２内にはこのステープルカートリッジ内のシートステープルをステープル打ち出し部３へ向けて順次供給するステープル供給機構、ステープル打ち出し部３の直前に形成されたステープル成形部に供給された直状のステープルをフォーミングプレートによりコ字形に成形するステープル成形機構、及びコ字形に成形されてステープル打ち出し部へ供給されたステープルをドライバプレートにより綴り用紙に向けて打ち出すステープル打ち出し機構が形成されている。
【００１４】
本体フレーム２の上方には、前記ステープル打ち出し部３の上面に配置された綴じ用紙をステープル打ち出し部３との間で狭持させるとともに、前記ステープル打ち出し部３から打ち出されて綴じ用紙を貫通したステープルの脚部を綴じ用紙の裏面に沿って折り曲げるクリンチャ機構が形成されたテーブル４が後端部において前記本体フレーム２に回動可能に支持されて設けられている。前記ステープル供給機構、ステープル成形機構、ステープル打ち出し機構及びテーブルを駆動させるモータが前記本体フレーム２内に設けられ、該モータにより前記各機構を駆動させる減速ギヤ５及び駆動ギヤ６が前記本体フレーム２の側面に配置されている。
【００１５】
図２に示すように、テーブル４は後端部が前記本体フレーム２に支軸７によって回動可能に支持されており、テーブル４の前部には綴じ用紙を貫通したステープルの脚を折り曲げるクリンチャ機構８が形成されており、該クリンチャ機構８が前記本体フレーム２のステープル打ち出し部３の上面に対向するように配置されている。前記テーブル４の両側壁の中央部から本体フレーム２の両側に沿って下方に向けて突出された翼片９が一体に形成されており、本体フレーム２の両側面には上記翼片９に対応してロック手段を構成しているロック板１０が配置されている。ロック板１０は本体フレーム２に対して支軸１１により回動自在に支持されており、該支軸１１から離れた端部には前記翼片９の前方に向いた前端縁９ａと係合させられる係止ピン１２が形成されている。
【００１６】
図３に示すように、ロック板１０はスプリング１３により前記支軸１１を中心として時針方向に回転付勢されており、更にロック板１０の下方に一体に形成された作動片１４と当接するように配置された作動カム１５により通常時には前記係止ピン１２が翼片９の前端縁９ａと離反される位置に回動されている。図４に示すように、本体フレーム２のステープル打ち出し部３上に綴じ用紙Ｐが載置されて電動ホッチキス１が駆動されると、図示していない駆動機構によりテーブル４が閉じ方向に回動作動されて綴じ用紙Ｐをステープル打ち出し部３とクリンチャ機構８との間に狭持する。これと同時に駆動機構と連動して作動される作動カム１５が回転して作動片１４から離反するのでロック板１０がスプリング１３により時針方向に回動されて、ロック板１０の係止ピン１２が翼片９の前端縁９ａと係合されて、これによりテーブル４が綴じ用紙Ｐをステープル打ち出し部３との間で狭持した回動位置にロックされる。
【００１７】
テーブル４のクリンチャ機構８部に綴じ荷重が作用してテーブル４に開き方向の力が作用すると、ロック板１０の係止ピン１２が翼片９の前端縁９ａに食い込むように作用してテーブル４が開き方向に回動する動きを阻止する。従ってクリンチャ機構８に大きな綴じ荷重が生ずる場合でも確実にテーブル４を閉じ位置にロックさせることができる。綴じ用紙Ｐへのステープル綴じが終了した後は、前記作動カム１５が回転して作動片１４を押圧させてロック板１０を反時針方向へ回動させて係止ピン１２を翼片９の前端縁９ａから離反させられるのでテーブル４を開き方向へ回動作動させることが可能となる。
【００１８】
図５は本発明のテーブルロック機構の別の実施例を示すもので、この実施例では、テーブル４の両側から下方に突出形成した翼片９の前方側に向いた端縁９ａにロック手段を構成している偏芯カム１６を当接させて、この偏芯カム１６と翼片９の前端縁９ａとの係合によってテーブル４の開き方向への回動を阻止させるようにしたものである。スプリング１７により回転付勢力が付与された偏芯カム１６が、テーブル４の支軸７と同心状に形成されている翼片９の前端縁９ａと係合されていることによって、テーブル４が綴じ荷重によって開き方向に回動すると偏芯カム１６が翼片９の前端縁９ａに食い込むように作用してテーブル４の回動を阻止するように作用する。１８は翼片の回動を案内するガイドローラであり、このガイドローラ１８によって偏芯カム１６が翼片９の前端縁９ａと強く係合することによる翼片９の変形を防ぐように作用する。
【００１９】
図６は更に別の実施例を示すもので、図５に示す実施例と同様にテーブル４の両側から下方に向けて形成された翼片９の前方側に向いた端縁９ａがテーブル４の支軸７と同心状に形成されており、更にこの実施例におけるロック手段は、形成された鋸歯状の細かい係合歯１９とこの翼片９の前端縁９ａと対向して前記鋸歯状の係合歯１９と互いにかみ合う鋸歯状の係止歯２０を先端に形成した係止片２１とで構成されている。前記翼片９の前端縁９ａに形成された係合歯１９には、テーブルの開き方向に向いた垂直面と閉じ方向に向いた斜面が形成されており、係止片２１には前記係合歯と互いにかみ合う鋸歯状の係止歯が形成されている。
【００２０】
前記係止片２１は本体フレーム２に対して水平方向にスライドできるように支持されており、更に、係止片２１の係止歯２０が翼片９の係合歯１９とかみ合う方向にスプリング２２によって付勢させて構成している。綴じ用紙を狭持するためにテーブル４が閉じ方向に回動する際には係合歯１９と係止歯２０の斜面同士が当接して係止片２１がスプリング２２の押圧力に抗して翼片９から離反する方向へスライド移動されてテーブル４の閉じ方向への回動が許容され、テーブル４が開き方向への回動力を受けた際には、係合歯１９と係止歯２０の垂直面同士が係合してテーブル４の回動を阻止するように作用する。ステープル綴じが終了したときには図示していない解除機構により係止片２１を翼片９から離反する方向へスライド移動させることにより係合歯１９と係止歯２０の係合を解除してテーブル４の開き方向への回動を可能にする。
【００２１】
図７乃至図９は本発明のテーブルロック機構の更に別の実施例を示すもので、この実施例においては、後端部が前記本体フレーム２に支軸７によって回動可能に支持されたテーブル４の上面側に回転カム２３を配置して、この回転カム２３の回転によりカムの下面側に形成したカム面２４をテーブル４の上端面に係合させることによりテーブル４の開き方向への回動をロックさせるようにしたものである。本体フレーム２に回転自在に支持された回転軸２５の先端部がテーブル４を貫通してテーブル４の上面側に配置されており、この回転軸２５の先端部に回転カム２３が取り付けられている。回転軸２５の下端部は回転軸２５を回転駆動させるためのモータ２６が連結されており、このモータ２６により回転軸２５を介して回転カム２３が正逆方向に回転されるようにされている。
【００２２】
図８に示すように回転カム２３の下面側には、円周方向に高さが徐々に変化するカム面２４が形成されており、このカム面２４がテーブル４の上面と係合することによりテーブル４の開き方向への回動を阻止するように作用する。図９（ａ）に示すように、テーブル４が開じ位置に配置された通常状態時には回転カム２３の最も高さの低い部分がテーブル４の上端面と対向されており、テーブル４が綴じ用紙を狭持した閉じ位置に回動作動された後に回転カム２３をモータ２６により回転駆動させると、図９（ｂ）に示すようにカム面２４がテーブル４の上端面と当接した位置まで回転されて停止し、カム面２４が楔の作用を奏してテーブル４の開き方向への回動が阻止されることになる。ステープル綴じが終了したときには前記モータ２６を駆動して回転カム２３を逆方向に回転させてカム面２４をテーブル４の上端面から離反させることによってテーブル４の開き方向への回動を可能にする。
【００２３】
なお、上記実施例では、回転カム２３を回転駆動させるモータ２６を本体フレーム２内に独立して形成したものを示しているが、回転カム２３を回転駆動させる手段はこれに限ることなく、例えばステープル打ち込み機構等を駆動する電動ホッチキスの駆動源であるモータにより駆動させるようにしてもよい。
【００２４】
【発明の効果】
上述のように、請求項１に記載の本発明によれば、テーブルに形成されてテーブルと一体に回動される翼片と本体フレームとの間にロック手段を形成し、該ロック手段によりテーブルの開き方向への回動力を阻止させるように構成しているので、綴じ用紙の厚さの変動幅が大きくなってもロック手段の作動ストロークを大きく設定する必要が無く、大きな綴じ荷重が発生するような場合であっても確実にテーブルを閉じ位置へロックさせることができる。
【００２５】
又、請求項２の発明によれば、ロック手段を翼片の前端縁と係合可能な係止ピンを一端に備えるとともに該係止ピンから離れた他端側で本体フレームに対して回動可能に支持されたロック板により構成し、テーブルの開き方向への回動時に前記係止ピンが翼片の端縁と係合して翼片の回動を阻止させるようにしているので、テーブルに開き方向への回動力が作用することよって前記ロック板による翼片への係合が強まるように作用するため、係止手段に綴じ荷重を支えるような大きな動力を必要とせず、電動ホッチキスの小型化が可能となる。
【００２６】
請求項３の発明によれば、前記ロック手段を本体フレームに回転自在に支持されて翼片の前端縁と係合可能な偏芯カムにより構成し、該偏芯カムがテーブルの開き方向への回動時に翼片の端縁に係合して翼片の回動を阻止させるようにしているので、テーブルに開き方向への回動力が作用することよって前記偏芯カムによる翼片への係合が強まるように作用するため、係止手段に綴じ荷重を支えるような大きな動力を必要とせず、電動ホッチキスの小型化が可能となる。
【００２７】
更に請求項４の発明によれば、前記ロック手段を翼片の前端縁に形成した鋸歯状の係合歯と係合すると係止歯が形成された係止片により構成し、前記係止片を係止歯と係合歯とが係合する方向に付勢させて該係止片によりテーブルの開き方向への回動時に翼片の端縁の係合歯に係止片の係止歯とを係合させて翼片の回動を阻止させるようにしているので、更に大きな綴じ荷重が生ずるような大型のホッチキスにおいても確実にテープルをロックさせることが可能である。
【００２８】
また、請求項５に記載の発明によれば、円周方向に高さが徐々に変化するカム面を形成した回転カムをモータ等により回転させることによりテーブルの上端面と係合させてテーブルの開き方向への回動を阻止させるようにしているので、従来の楔部材をスライド移動させるものに対して、綴じ用紙の厚さの変動幅が大きくなってもスライドストロークを大きく設定する等の必要が無く、電動ホッチキスの小型化が可能となる。
【図面の簡単な説明】
【図１】本発明のテーブルロック機構を実施した電動ホッチキスの斜視図。
【図２】図１と同じ電動ホッチキスの異なる面からの斜視図。
【図３】図１の電動ホッチキスのテーブルロック機構を示す側面図。
【図４】図３と同じテーブルロック機構のテーブルが閉じ位置にロックされた状態の側面図。
【図５】テーブルロック機構の他の実施例を示す側面図。
【図６】テーブルロック機構の更に他の実施例を示す側面図。
【図７】更に別のテーブルロック機構を実施した電動ホッチキスの斜視図。
【図８】図７の実施例による回転カムの斜視図。
【図９】図７の実施例によるテーブルロック機構の作動状態を示す側面図であり、（ａ）はテーブルが開位置に配置されている状態、（ｂ）はテーブルが綴じ用紙を狭持するために閉じ位置に作動した状態を示す。
【図１０】従来のテーブルロック機構を実施した電動ホッチキスの縦断側面図。
【図１１】図１０と同じ電動ホッチキスのテーブルが閉じ位置でロックされた状態の縦断側面図。
【符号の説明】
１　電動ホッチキス
２　本体フレーム
３　ステープル打ち出し部
４　テーブル
７　支軸
８　クリンチャ機構
９　翼片
９ａ　前端縁
１０　ロック板（ロック手段）
１１　支軸
１２　係止ピン
１３　スプリング
１６　偏芯カム（ロック手段）
１７　スプリング
１８　ガイドローラ
１９　係合歯
２０　係止歯
２１　係止片（ロック手段）
２２　スプリング
２３　回転カム
２４　カム面
２５　回転軸
２６　モータ
【図１】
2004025548.tif 000003
【図２】
2004025548.tif 000004
【図３】
2004025548.tif 000005
【図４】
2004025548.tif 000006
【図５】
2004025548.tif 000007
【図６】
2004025548.tif 000008
【図７】
2004025548.tif 000009
【図８】
2004025548.tif 000010
【図９】
2004025548.tif 000011
【図１０】
2004025548.tif 000012
【図１１】
2004025548.tif 000013